(57)【要約】【課題】  異なるクロージャに対して、光ファイバケーブルの短余長で分離し、クロージャにおける最適な分離位置と最適な分離長で分離する。【解決手段】  クロージャ３に着脱可能に固定する左、右クロージャ固定部５Ｌ，５Ｒを備えたクロージャ固定部用フレーム７を設け、このクロージャ固定部用フレーム７に、左右方向に延伸したクランプ台フレーム９を設け、このクランプ台フレーム９の左右に、光ファイバケーブルを把持固定する左クランプ部１７Ａを備えた左クランプ台１７と、前記光ファイバケーブルを把持固定する右クランプ部２３Ａを備えた右クランプ台２３とを設けると共に前記左、右クランプ台１７，２３を前後、左右方向に移動調整自在に設け、前記左、右クランプ台１７，２３の間で左右方向に移動可能で、かつ、前記光ファイバケーブルの光ファイバを分離する分離工具装置２９を備えた分離工具用移動台３１を設けている。【選択図】図１
2007156242.tif 000002
【特許請求の範囲】
【請求項１】
光ファイバケーブルを収容するクロージャに左右で着脱可能に固定する左、右クロージャ固定部を備えたクロージャ固定部用フレームと、
このクロージャ固定部用フレームに、左右方向に延伸して設けたクランプ台フレームと、
前記光ファイバケーブルを把持固定する左クランプ部を備えると共に前記クランプ台フレームの左側に前後、左右方向に移動調整自在に設けた左クランプ台と、
前記光ファイバケーブルを把持固定する右クランプ部を備えると共に前記クランプ台フレームの右側に前後、左右方向に移動調整自在に設けた右クランプ台と、
前記左、右クランプ台の間に、前記クランプ台フレームとほぼ平行に左右方向に延伸して設けたスライドレールと、
このスライドレールに沿って前記左クランプ台側と前記右クランプ台側との間で移動可能で、かつ、前記光ファイバケーブルの光ファイバを分離する分離工具装置を備えた分離工具用移動台と、
で構成されていることを特徴とする光ファイバケーブル分離装置。
【請求項２】
前記クランプ台フレームが、前記クロージャ固定部用フレームに上下方向で移動調整自在に設けられていることを特徴とする請求項１記載の光ファイバケーブル分離装置。
【請求項３】
光ファイバケーブルを収容するクロージャに左右で着脱可能に固定する左、右クロージャ固定部を備えたクロージャ固定部用フレームと、
このクロージャ固定部用フレームに、上下方向に移動調整自在に設け、かつ、左右方向に延伸して設けたクランプ台フレームと、
前記光ファイバケーブルを把持固定する左クランプ部を備えると共に前記クランプ台フレームの左側に前後方向に移動調整自在に設けた左クランプ台と、
前記光ファイバケーブルを把持固定する右クランプ部を備えると共に前記クランプ台フレームの右側に前後方向に移動調整自在に設けた右クランプ台と、
前記左、右クランプ台の間に、前記クランプ台フレームとほぼ平行に左右方向に延伸して設けたスライドレールと、
このスライドレールに沿って前記左クランプ台側と前記右クランプ台側との間で移動可能で、かつ、前記光ファイバケーブルの光ファイバを分離する分離工具装置を備えた分離工具用移動台と、
で構成されていることを特徴とする光ファイバケーブル分離装置。
【請求項４】
前記前記左、右クランプ台が、前記クランプ台フレーム上で上下方向に移動調整自在に設けられていることを特徴とする請求項１、２又は３記載の光ファイバケーブル分離装置。
【発明の詳細な説明】
【技術分野】
【０００１】
この発明は、光ファイバケーブル分離装置に関し、特に光ファイバケーブルに収納された多数の光ファイバ心線などの光ファイバを分離するための光ファイバケーブル分離装置に関する。
【背景技術】
【０００２】
近年、光加入線路網の構築が急速に進んでおり、一般住宅に例えば光ファイバ心線を引き込む工事が頻繁に行われている。光ファイバケーブルとしての例えば多心光ファイバテープの中から必要な光ファイバ心線などの光ファイバを取り出すために、活線状態で上記の多心光ファイバテープから任意の光ファイバに分離する分離工具が使用され、この光ファイバケーブル分離装置はこのような作業時に分離工具とともに使用される。
【０００３】
上記の分離作業を効率よく行うために、従来では特許文献１に示されているように、把持機構の左右方向の一側に備えた固定クランプにて、多心光ファイバテープの一端を把持し、この多心光ファイバテープに一定のテンションを与えた状態で把持機構の左右方向の他側に備えた可動クランプにて多心光ファイバテープの他端を把持・固定し、分離工具を前記把持機構に備えたスライドレールに沿って前記固定クランプ側から前記可動クランプ側へスライドさせて前記多心光ファイバテープを分離させるものが開発されている。したがって、上記の把持機構がクロージャに設置されることにより、多心光ファイバテープが作業者の手によらずに一定のテンションを与えてクランプされると共に多心光ファイバテープが分離工具により容易かつ確実に各光ファイバ心線に分離できる。
【特許文献１】特開２００４−１２６１３０号公報
【発明の開示】
【発明が解決しようとする課題】
【０００４】
ところで、特許文献１の把持機構においては、多心光ファイバテープなどの光ファイバケーブルに対する固定・可動クランプの前後位置のみが調整可能であるので、太さの異なる光ファイバケーブルには対応可能であった。
【０００５】
しかし、光加入線路網の構築が進むにつれて、様々なタイプのクロージャが必要となり、上記のように単に太さの異なるケーブルのみに対応するだけでは、不十分であった。
【０００６】
すなわち、上記の把持機構では、「把持機構の左右に備わる固定・可動クランプとこの固定・可動クランプの間に備わる工具台」と「クロージャとの固定部」との相対的位置関係は、前後方向のみにしか調整できないので、「クロージャとの固定部」と「光ファイバケーブル」との相対的位置関係が異なるクロージャに対しては光ファイバケーブルの短余長での分離ができないという問題点があった。
【０００７】
また、上記の把持機構では、「把持機構の左右に備わる固定・可動クランプ」と「クロージャとの固定部」との相対的位置関係は、左右方向へ調整ができないので、当該クロージャにおける最適な分離位置で光ファイバケーブルの分離ができず、また、当該クロージャにおける最適な分離長で分離もできないという問題点があった。
【０００８】
この発明は上述の課題を解決するためになされたものである。
【課題を解決するための手段】
【０００９】
上記発明が解決しようとする課題を達成するために、この発明の光ファイバケーブル分離装置は、光ファイバケーブルを収容するクロージャに左右で着脱可能に固定する左、右クロージャ固定部を備えたクロージャ固定部用フレームと、
このクロージャ固定部用フレームに、左右方向に延伸して設けたクランプ台フレームと、
前記光ファイバケーブルを把持固定する左クランプ部を備えると共に前記クランプ台フレームの左側に前後、左右方向に移動調整自在に設けた左クランプ台と、
前記光ファイバケーブルを把持固定する右クランプ部を備えると共に前記クランプ台フレームの右側に前後、左右方向に移動調整自在に設けた右クランプ台と、
前記左、右クランプ台の間に、前記クランプ台フレームとほぼ平行に左右方向に延伸して設けたスライドレールと、
このスライドレールに沿って前記左クランプ台側と前記右クランプ台側との間で移動可能で、かつ、前記光ファイバケーブルの光ファイバを分離する分離工具装置を備えた分離工具用移動台と、
で構成されていることを特徴とするものである。
【００１０】
また、この発明の光ファイバケーブル分離装置は、前記光ファイバケーブル分離装置において、前記クランプ台フレームが、前記クロージャ固定部用フレームに上下方向で移動調整自在に設けられていることが好ましい。
【００１１】
この発明の光ファイバケーブル分離装置は、光ファイバケーブルを収容するクロージャに左右で着脱可能に固定する左、右クロージャ固定部を備えたクロージャ固定部用フレームと、
このクロージャ固定部用フレームに、上下方向に移動調整自在に設け、かつ、左右方向に延伸して設けたクランプ台フレームと、
前記光ファイバケーブルを把持固定する左クランプ部を備えると共に前記クランプ台フレームの左側に前後方向に移動調整自在に設けた左クランプ台と、
前記光ファイバケーブルを把持固定する右クランプ部を備えると共に前記クランプ台フレームの右側に前後方向に移動調整自在に設けた右クランプ台と、
前記左、右クランプ台の間に、前記クランプ台フレームとほぼ平行に左右方向に延伸して設けたスライドレールと、
このスライドレールに沿って前記左クランプ台側と前記右クランプ台側との間で移動可能で、かつ、前記光ファイバケーブルの光ファイバを分離する分離工具装置を備えた分離工具用移動台と、
で構成されていることを特徴とするものである。
【００１２】
また、この発明の光ファイバケーブル分離装置は、前記光ファイバケーブル分離装置において、前記前記左、右クランプ台が、前記クランプ台フレーム上で上下方向に移動調整自在に設けられていることが好ましい。
【発明の効果】
【００１３】
以上のごとき課題を解決するための手段から理解されるように、この発明によれば、光ファイバケーブル分離装置の左右に備わる左、右クランプ部と、クロージャとの固定部との相対的位置関係が、前後方向へ調整可能であるので、太さの異なる光ファイバケーブルに対して容易に対応できると共に、前記相対的位置関係が左右方向へ調整可能であるので、当該クロージャにおける最適な分離位置で光ファイバケーブルの分離を行うことができ、また、当該クロージャにおける最適な分離長で分離できるように変えることもできる。
【００１４】
また、光ファイバケーブル分離装置の左右に備わる左、右クランプ部並びにこの左、右クランプ部の間に備わる分離工具装置と、クロージャとの固定部との相対的位置関係が、前後方向へ調整可能であるので、太さの異なる光ファイバケーブルに対して容易に対応できると共に、前記相対的位置関係が上下方向へ調整可能であるので、クロージャとの固定部と、光ファイバケーブルとの相対的位置関係が異なるクロージャにおいても、短余長で分離できる。
【発明を実施するための最良の形態】
【００１５】
以下、この発明の実施の形態について図面を参照して説明する。
【００１６】
図１ないしは図４を参照するに、この実施の形態に係る光ファイバケーブル分離装置１は、例えば多心光ファイバテープなどの光ファイバケーブルＫを収容するクロージャ３における例えばクロージャフレーム３Ａに対して、左右で着脱可能に固定する左、右クロージャ固定部５Ｌ，５Ｒを備えたクロージャ固定部用フレーム７が設けられている。
【００１７】
この実施の形態では、前記クロージャ固定部用フレーム７は、左クロージャ固定部５Ｌを図１の前側に備えた左クロージャ固定部用フレーム部７Ｌと、右クロージャ固定部５Ｒを図１の前側に備えた右クロージャ固定部用フレーム部７Ｒと、前記左、右クロージャ固定部用フレーム部７Ｌ、７Ｒを連結する断面Ｌ字状の連結フレーム７Ａと、から構成される平面でコ字状をなすフレームである。
【００１８】
また、上記のクロージャ固定部用フレーム７には、左右方向に延伸して設けたクランプ台フレーム９が上下方向で移動調整自在に設けられている。すなわち、クランプ台フレーム９としては、板状の断面Ｌ字形状をなす左右の支柱部１１Ａとベース部１１Ｂとからなるクランプ台支持部材１１がそれぞれの前記支柱部１１Ａの上部で左、右クロージャ固定部用フレーム部７Ｌ、７Ｒの先端側（図１において後側）に上下動調整自在に取り付けられており、左右の前記クランプ台支持部材１１の下部には左右方向に延伸するクランプ台支持ベース１３が連結されている。このクランプ台支持ベース１３は、この実施の形態では２本の逆Ｌ字形状の部材１３Ａが並行して設けられて左右の前記クランプ台支持部材１１のベース部１１Ｂに連結されて構成されている。
【００１９】
また、左右の各クランプ台支持部材１１のベース部１１Ｂは、図２に示されているように内側に向けて下方へ寸法Ｈの距離で下がる段付部１１Ｃが形成されている。
【００２０】
上記の上下動調整機構について左のクランプ台支持部材１１で説明すると、図５に示されているように、前記クランプ台支持部材１１の支柱部１１Ａの上部には、左クロージャ固定部用フレーム部７Ｌの先端面に当てるためのフランジ部１１Ｃが設けられており、各フランジ部１１Ｃには例えば上下方向に長い長穴１１Ｄが設けられている。一方、左クロージャ固定部用フレーム部７Ｌの先端面にはねじ穴７Ｂが設けられている。
【００２１】
そして、上下調整用ノブ１５に備えたねじ部１５Ａが左クロージャ固定部用フレーム部７Ｌの先端面に当てられた前記フランジ部１１Ｃの長穴１１Ｄを挿通して前記ねじ穴７Ｂに螺合されることにより、前記クランプ台支持部材１１の支柱部１１Ａが上下動可能となり、上下調整用ノブ１５のねじ部１５Ａを前記ねじ穴７Ｂに締め付けて前記クランプ台支持部材１１の支柱部１１Ａを左クロージャ固定部用フレーム部７Ｌの先端に上下動調整可能に固定することができる。
【００２２】
したがって、図２に示されているように、クロージャ固定部用フレーム７を固定したクロージャフレーム３Ａからクランプ台支持部材１１のベース部１１Ｂの上面までの距離がＧである場合、この距離Ｇは上記の長穴１１Ｄの長径の長さ分がクランプ台支持部材１１の上下調整幅寸法となる。
【００２３】
なお、右のクランプ台支持部材１１の上下動調整機構は、上記の左のクランプ台支持部材１１と左右対称で同様の構造であるので、詳しい説明は省略する。
【００２４】
また、上記の左のクランプ台支持部材１１のベース部１１Ｂには、前記光ファイバケーブルＫを把持固定する左クランプ部１７Ａを備えた左クランプ台１７が、前後、左右方向に移動調整自在に設けられている。
【００２５】
より詳しくは、前記左のクランプ台支持部材１１のベース部１１Ｂには、図４に示されているように、左クランプ台１７を前後、左右方向に３段階に移動可能に形成したガイド溝穴１９が設けられている。また、前記ガイド溝穴１９の幅寸法より大きいフランジ部と前記ガイド溝穴１９に挿通可能な基部を備えたナット部材２１Ａがベース部１１Ｂの下方から前記ガイド溝穴１９に挿通される。一方、前記左クランプ台１７には上下に貫通する図示しない貫通穴が設けられており、左クランプ台１７が前記ベース部１１Ｂに載置される。また、前記ナット部材２１Ａに螺合されるねじ部を備えた左クランプ台用ノブ２１が前記左クランプ台１７の貫通穴に上方から挿通され、前記左クランプ台用ノブ２１のねじ部がナット部材２１Ａのねじ穴に螺合される。
【００２６】
したがって、左クランプ台１７は左クランプ台用ノブ２１を緩めた状態で、前後、左右方向に３段階に移動可能となり、左クランプ台用ノブ２１を締め付けることにより前記左のクランプ台支持部材１１のベース部１１Ｂに固定することができる。
【００２７】
一方、上記の右のクランプ台支持部材１１のベース部１１Ｂには、前記光ファイバケーブルＫを把持固定する右クランプ部２３Ａを備えた右クランプ台２３が、上記の左クランプ台１７と同様に、前後、左右方向に移動調整自在に設けられている。
【００２８】
より詳しくは、前記右のクランプ台支持部材１１のベース部１１Ｂには、図４に示されているように、右クランプ台２３を前後、左右方向に３段階に移動可能に形成したガイド溝穴１９が設けられている。また、前記ガイド溝穴１９の幅寸法より大きいフランジ部と前記ガイド溝穴１９に挿通可能な基部を備えたナット部材２５Ａがベース部１１Ｂの下方から前記ガイド溝穴１９に挿通される。一方、前記右クランプ台２５には上下に貫通する図示しない貫通穴が設けられており、右クランプ台２５が前記ベース部１１Ｂに載置される。また、前記ナット部材２５Ａに螺合されるねじ部を備えた右クランプ台用ノブ２５が前記右クランプ台２３の貫通穴に上方から挿通され、前記右クランプ台用ノブ２５のねじ部がナット部材２５Ａのねじ穴に螺合される。
【００２９】
したがって、右クランプ台２３は右クランプ台用ノブ２５を緩めた状態で、前後、左右方向に３段階に移動可能となり、右クランプ台用ノブ２５を締め付けることにより前記右のクランプ台支持部材１１のベース部１１Ｂに固定することができる。
【００３０】
なお、上記の各ガイド溝穴１９が、例えば、左右方向の外側の溝穴と中間の溝穴の間の寸法をＥとし、中間の溝穴と内側の溝穴の間の寸法をＦとすると、図２に示されているように左、右クランプ台１７，２３が外側の溝穴に位置している場合と、図３に示されているように左、右クランプ台１７，２３が内側の溝穴に位置している場合との寸法差は、〔２×（Ｅ＋Ｆ）〕となる。しかも、左、右クランプ台１７，２３はそれぞれ独立して左右方向に３段階で移動調整可能であるので、上記の寸法差〔２×（Ｅ＋Ｆ）〕の範囲内で、合計９通りの組合せで左、右クランプ台１７，２３を左右方向に移動調整可能となる。
【００３１】
また、左右の各クランプ台支持部材１１のベース部１１Ｂの段付部１１Ｃは、図４に示されているように各ガイド溝穴１９の左右方向の内側の溝穴と中間の溝穴の間に設けられているので、図３に示されているように左、右クランプ台１７，２３が内側の溝穴に位置している場合は、図２に示されているように左、右クランプ台１７，２３が外側又は中間の溝穴に位置している場合より、寸法Ｈだけ下方へ下がることになる。言い換えれば、左、右クランプ台１７，２３は左右の各クランプ台支持部材１１のベース部１１Ｂの上で上下方向に寸法Ｈの調整幅で２段階に上下動調整可能である。
【００３２】
また、上記の左、右クランプ台１７，２３の間には、前記クランプ台フレーム９のクランプ台支持ベース１３とほぼ平行に左右方向に延伸して設けたスライドレール２７が連結されている。すなわち、この実施の形態では、互いに平行をなす２本のスライドレール２７が、右端側が右クランプ台２３に固定されており、左端側が左クランプ台１７に設けた図示しない挿通穴に挿通されている。なお、左クランプ台１７の挿通穴から外側に突出した２本のスライドレール２７の左端は２本のスライドレール２７の平行を保持するために連結固定部材２７Ａで連結固定されている。
【００３３】
したがって、上記の左、右クランプ台１７，２３がそれぞれ独立して前後、左右方向に３段階に移動すると、左、右クランプ台１７，２３の間の距離が変化するが、２本のスライドレール２７は左クランプ台１７の挿通穴を左右に移動するだけで、２本のスライドレール２７の間は常時一定の平行状態となる。
【００３４】
また、上記の２本のスライドレール２７には、前記光ファイバケーブルＫの光ファイバを分離する分離工具装置２９を備えた分離工具用移動台３１が装着されており、この分離工具用移動台３１が上記のスライドレール２７に沿って前記左クランプ台１７の側と前記右クランプ台２３の側との間で左右方向に移動可能に設けられている。
【００３５】
上記の分離工具装置２９としては、すでに公知の上刃と下刃などからなる分離工具２９Ａと、この分離工具２９Ａを例えばトグル機構などにより押さえる工具押さえ装置２９Ｂが分離工具用移動台３１の上部に設けられている。
【００３６】
上記構成により、この実施の形態の光ファイバケーブル分離装置１を用いて、光ファイバケーブルＫとしての例えば多心光ファイバテープから光ファイバとしての例えば各光ファイバ心線に分離せしめる分離方法を説明する。
【００３７】
図１では、光ファイバケーブル分離装置１がクロージャ３におけるクロージャフレーム３Ａの前部に取り付けられた状態を示している。すなわち、クロージャ固定部用フレーム７の左クロージャ固定部５Ｌと右クロージャ固定部５Ｒが、図１においてクロージャ３におけるクロージャフレーム３Ａの前部の上部に着脱可能に固定される。
【００３８】
次いで、クロージャ３内に収納されている光ファイバケーブルＫの配置状態に応じて、上下調整用ノブ１５を緩め且つ締付けて、クランプ台フレーム９を上下方向に移動調整することにより、クランプ台フレーム９に載置されている左、右クランプ台１７，２３の左、右クランプ部１７Ａ，２３Ａの位置と、分離工具用移動台３１の分離工具装置２９の位置が上下方向に移動調整される。
【００３９】
さらに、クロージャ３内に収納されている光ファイバケーブルＫの配置状態に応じて、左、右クランプ台用ノブ２１，２５を緩め且つ締付けて、左、右クランプ台１７，２３を左右方向に移動調整することにより、左、右クランプ台１７，２３の左、右クランプ部１７Ａ，２３Ａの位置が左右方向に移動調整される。このとき、前述したように、この実施の形態では、左、右クランプ台１７，２３がそれぞれ独立して左右方向に３段階で移動調整可能であるので、左、右クランプ台１７，２３が合計９通りの組合せで左右方向に移動調整可能である。
【００４０】
さらに、光ファイバケーブルＫの径に合わせて、左、右クランプ台用ノブ２１，２５を緩め且つ締付けて、左、右クランプ台１７，２３を前後方向に移動調整することにより、左、右クランプ台１７，２３の左、右クランプ部１７Ａ，２３Ａの位置が前後方向に移動調整される。
【００４１】
また、左、右クランプ台１７，２３の左、右クランプ部１７Ａ，２３Ａは、外側又は中間の溝穴に位置している場合と内側の溝穴に位置している場合との違いで、上下方向に寸法Ｈの調整幅で上下方向に２段階で移動調整される。
【００４２】
上記のように、左、右クランプ台１７，２３の上部に備えられた左、右クランプ部１７Ａ，２３Ａの位置、並びに分離工具用移動台３１の分離工具装置２９の位置が調整された後に、例えば左クランプ部１７Ａに光ファイバケーブルＫの一端側が固定される。次いで、前記右クランプ部２３Ａに光ファイバケーブルＫの他端側が固定される。このとき、左、右クランプ部１７Ａ，２３Ａで固定された光ファイバケーブルＫは一定のテンションが与えられた状態である。
【００４３】
そして、分離工具用移動台３１が、作業者により例えば前記左クランプ部１７Ａ側へスライドレール２７に沿って移動されてから、分離工具用移動台３１の上部に備えた分離工具装置２９における分離工具の上刃と下刃で前記光ファイバケーブルＫを把持させた後に、工具押さえ装置２９Ｂで分離工具装置２９が押さえられる。
【００４４】
この状態で、作業者により分離工具用移動台３１がスライドレール２７に沿って前記左クランプ台１７側から右クランプ台２３側へ向けて移動されることにより、分離工具装置２９も一緒に左クランプ台１７側から右クランプ台２３側へ向けて移動される。その結果、分離工具２９Ａの上刃と下刃により前記光ファイバケーブルＫが各光ファイバ心線などの光ファイバに容易に分離されることになる。
【００４５】
なお、上記では、分離工具用移動台３１が左側から右側へ移動される場合で説明したが、逆に右側から左側へ移動される場合でも同様に光ファイバケーブルＫを光ファイバに容易に分離できる。
【００４６】
而して、作業者のスキルを要さず、容易に分離作業を行うことができる。また、光ファイバケーブルＫと分離工具装置２９の相対位置決めが行われるので、ロスの発生を抑えることができ、通信障害を起こすことがなく、光ファイバ心線などの光ファイバに傷をつけることがないので、分離作業の失敗は生じない。
【００４７】
前記分離工具装置２９には工具押さえ装置２９Ｂが備えられ、この工具押さえ装置２９Ｂで分離工具２９Ａが押さえられるので、作業者の手で常に押さえる必要をなくすることができ、分離作業が容易である。
【００４８】
また、クロージャ３との固定部である前記左クロージャ固定部５Ｌと右クロージャ固定部５Ｒに対して、左、右クランプ台１７，２３の左、右クランプ部１７Ａ，２３Ａが前後方向へ移動可能に設けられているので、換言すれば、クロージャ３との固定部と、左、右クランプ部１７Ａ，２３Ａとの相対的位置関係が、前後方向へ調整可能であるので、クロージャ３内の光ファイバケーブルＫの中心位置に左、右クランプ部１７Ａ，２３Ａを光ファイバケーブルＫの径に合わせて近づけることができる。このことにより、心線余長を極力抑制して分離することができ、太さの異なる光ファイバケーブルＫに対して容易に対応できる。光ファイバケーブルＫからの光ファイバの引き出し長が短くなり、クロージャ３を小型化にすることができる。
【００４９】
これに加えて、クロージャ３との固定部である前記左クロージャ固定部５Ｌと右クロージャ固定部５Ｒに対して、左、右クランプ台１７，２３の左、右クランプ部１７Ａ，２３Ａが左右方向へ移動可能に設けられているので、換言すれば、クロージャ３との固定部と、左、右クランプ部１７Ａ，２３Ａとの相対的位置関係が、左右方向へ調整可能であるので、当該クロージャ３における最適な分離位置で光ファイバケーブルＫの分離を行うことができ、また、当該クロージャ３における最適な分離長で分離できるように変えることもできる。
【００５０】
さらに加えて、クロージャ３との固定部である前記左クロージャ固定部５Ｌと右クロージャ固定部５Ｒに対して、クランプ台フレーム９が上下方向に移動可能に設けられていることから、クランプ台フレーム９に載置されている左、右クランプ台１７，２３の左、右クランプ部１７Ａ，２３Ａと分離工具用移動台３１の分離工具装置２９が上下方向に移動可能であるので、換言すれば、左、右クランプ部１７Ａ，２３Ａ並びにこの左、右クランプ部１７Ａ，２３Ａの間に備わる分離工具装置２９と、クロージャ３との固定部との相対的位置関係が、上下方向へ調整可能であるので、クロージャ３との固定部と、光ファイバケーブルＫとの相対的位置関係が異なるクロージャ３においても、短余長で分離できる。
【００５１】
以上のことから、作業環境を問わずに、安定した分離作業を行うことができる。
【００５２】
なお、前述した実施の形態では、左右のクランプ台支持部材１１のベース部１１Ｂに載置された左、右クランプ台１７，２３が上方の左、右クランプ台用ノブ２１，２５と下方のナット部材２１Ａ，２５Ａで挟み込まれている形態であるが、他の実施の形態としては、図６に示されているように前記左、右クランプ台１７，２３の底面に図示しないねじ穴が設けられ、このねじ穴に螺合するための図示しないねじ部を備えた左、右クランプ台用ノブ３３，３５で、左右のクランプ台支持部材１１のベース部１１Ｂの下方から前記左、右クランプ台用ノブ３３，３５のねじ部をベース部１１Ｂのガイド溝穴１９に挿通して、前記ベース部１１Ｂに載置された左、右クランプ台１７，２３のねじ穴に螺合することができる。
【００５３】
この場合、左、右クランプ台１７，２３は左、右クランプ台用ノブ３３，３５を緩めた状態で、前後、左右方向に３段階、上下方向に２段階に移動可能となり、左、右クランプ台用ノブ３３，３５を締め付けることにより前記左右のクランプ台支持部材１１のベース部１１Ｂに固定することができ、前述した実施の形態と同様の作用である。
【図面の簡単な説明】
【００５４】
【図１】この発明の実施の形態の光ファイバケーブル分離装置の斜視図である。
【図２】左、右クランプ台がガイド溝穴の外側の溝穴に位置している状態を示す図１の正面図である。
【図３】左、右クランプ台がガイド溝穴の内側の溝穴に位置している状態を示す図１の正面図である。
【図４】図１の底面図である。
【図５】図１のクランプ台フレームを上下方向に移動調整せしめるための構造を示す部分的な分解斜視図である。
【図６】左、右クランプ台を固定する他の実施の形態を示す光ファイバケーブル分離装置の正面図である。
【符号の説明】
【００５５】
１  光ファイバケーブル分離装置
３  クロージャ
３Ａ  クロージャフレーム
５Ｌ  左クロージャ固定部
５Ｒ  右クロージャ固定部
７  クロージャ固定部用フレーム
７Ａ  連結フレーム
７Ｂ  ねじ穴
７Ｌ  左クロージャ固定部用フレーム部
７Ｒ  右クロージャ固定部用フレーム部
９  クランプ台フレーム
１１  クランプ台支持部材
１１Ｃ  フランジ部
１１Ｄ  長穴
１３  クランプ台支持ベース
１５  上下調整用ノブ
１５Ａ  ねじ部
１７  左クランプ台
１７Ａ  左クランプ部
１９  ガイド溝穴
２１，３３  左クランプ台用ノブ
２１Ａ  ナット部材
２３  右クランプ台
２３Ａ  右クランプ部
２５，３５  右クランプ台用ノブ
２５Ａ  ナット部材
２７  スライドレール
２９  分離工具装置
２９Ａ  分離工具
２９Ｂ  工具押さえ装置
３１  分離工具用移動台
【図１】
2007156242.tif 000003
【図２】
2007156242.tif 000004
【図３】
2007156242.tif 000005
【図４】
2007156242.tif 000006
【図５】
2007156242.tif 000007
【図６】
2007156242.tif 000008